(57)【要約】【課題】サンダルの歩行感等各種機能を改良し、同時に健康サンダルに伴う健康障害を解消する。【課題を解決するための手段】サンダル台本体１に、ポリ塩化ビニル製透明シート３、踏み付け部後端６と踏み付け部先端７の間に一辺が７ｍｍの正三角形を断面とする貫通孔を連続充填模様のように穿設し、踵部後端９と踏み付け部後端部６の間において内側アーチ外周縁部１０、踵部外周縁部１１および外側アーチ外周縁部１２に直径が７ｍｍの円形貫通孔を２列に配して穿設し、踵部１３から踏み付け部後端部６に至る部分に直径が４ｍｍの円形貫通孔を不規則に配して穿設したＥＶＡ製の厚さ５ｍｍの足形透明シート、およびポリ塩化ビニル製透明シートをこの順序で接合する。【選択図】図１
0003126526.tif 000002
【実用新案登録請求の範囲】
【請求項１】
サンダル台の構造であって、サンダル台の足裏対応部分に、正面から観察した形状が同一形状の多角形の貫通孔を連続・充填的に穿設したゴム又は熱可塑性合成樹脂製シートを接合し、さらにその表面にゴム又は熱可塑性合成樹脂製の透明シートを積層したサンダル台。
【請求項２】
シートに穿設された貫通孔の正面から観察した形状の大きさを、サンダル台のボール部、踏み付け部、踵部、内側アーチ部、および外側アーチ部に対応する部位と、その余の部位で、変化させた請求項１に記載したサンダル台。
【請求項３】
サンダル台の構造であって、サンダル台の足裏対応部分に、正面から観察した形状が多角形および該多角形とは異なる異形形状から成る２種以上の異なる形状の貫通孔を複合して連続・充填的に穿設したシートを接合し、さらにその表面にゴム又は熱可塑性合成樹脂製の透明シートを積層したサンダル台。
【請求項４】
サンダル台の踏み付け部分と、踵部から踏み付け部後端部の範囲とに穿設される貫通孔の正面から観察した形状の大きさを変化させた請求項３に記載したサンダル台。
【請求項５】
貫通孔を穿設するシートの厚さが３〜５ｍｍである請求項１〜４項のいずれか１項に記載されたサンダル台。
【考案の詳細な説明】
【技術分野】
【０００１】  本考案は、サンダル台に関する。より詳細に述べれば、本考案は、サンダル台の足裏対応部分に、正面形状が同一形状の多角形の貫通孔を一ユニットとする連続模様、又は正面形状が２種以上の異なる模様の貫通孔から構成された複合模様を付与し、歩行時に、歩行感等サンダル本来の機能と、一種の指圧効果を与えることができるサンダル台に関する。
【背景技術】
【０００２】  本発明で使用する用語「サンダル」は、靴のような甲皮を構成部品として有せず台のみを主要部品とし、従って甲の一部だけを被い、または甲を全く被わずに、紐、ベルト等で履用する履物の総称と定義する。従って、本考案におけるサンダルには、ビーチサンダル、日本古来の草履、女性看護士が使用するナースサンダル、健康サンダル、オフィスで履き変えるオフィスサンダル、ミュール、さらにはゴム草履等が包含される。「サンダル台」とは、そのサンダルの主要部品としての台である。【０００３】  本発明で使用する用語「サンダル台の足裏対応部分に、正面形状が同一形状の多角形の透孔を一ユニットとする連続模様を付与する」とは、サンダル台の足裏対応部分に、正面から観察した形状が三角形、四角形等同一形状の多角形の貫通孔を一ユニットとする連続模様を直接形成するか、または、サンダル台の足裏対応部分に、正面から観察した形状が三角形、四角形等同一形状の多角形の貫通孔を一ユニットとする連続模様が形成されたシートを接合することを意味する。【０００４】  本発明で使用する用語「サンダル台の足裏対応部分に、正面形状が２種以上の異なる模様の貫通孔から構成された複合模様を付与する」とは、サンダル台の足裏対応部分に、正面から観察した形状が円形、または三角形、四角形等多角形、或いは特殊な異形形状から成る群から選択された少なくとも２種以上の異なる形状の貫通孔を連続して直接形成するか、またはサンダル台の足裏対応部分に、正面から観察した形状が円形、または三角形、四角形等多角形、或いは特殊な異形形状から成る群から選択された少なくとも２種以上の異なる形状の貫通孔を連続して形成したシートを接合した状態を意味する。【０００５】  サンダルが、古代オリエント時代から開発された、最も古いタイプの履物の一種であるが、構成部品も少なく、構造が簡単で、且つ安価であるとの理由で、サンダル台の足裏対応部分を構造面から検討して歩行感等各種機能を改良しようとする試みが余りなされなかった。【０００６】  ところで、漢方医学では、足裏に多くのツボ（以下「反射帯」という）があり、それらの反射帯は、それぞれ身体の特定部位或いは組織と経絡構造と形成していて、反射帯を適度に刺激することにより、疲労回復や身体の特定部位或いは組織の活性化に資すると言われている。【０００７】  たとえば、爪先には、頭、目、耳等の頭部と関係する反射帯があり、土踏まずには、肺、心臓、肝臓、胃、腎臓など上半身と関係する反射帯があり、踵には、小腸、大腸、骨盤など下腹部と関係する反射帯があるとされている。【０００８】  これを受けて、従来から、ゴムまたはプラスチック製のサンダル台の足裏対応面に、突起を形成した、いわゆる「健康サンダル」が各種提案されている。この従来の健康サンダルの代表的な一つとして、サンダル台の足裏対応面に、針状の突起を形成し、歩行時に、この針状の突起が足裏を刺激して、一種の指圧効果を与えることを目的とし、それを期待するものがある。【０００９】  たとえば、特許文献１は、サンダルの表層部に、足裏に刺激を与えるための高さ７〜１５ｍｍの突起を多数備えた、いわゆる「健康サンダル」を記載している。【００１０】  然しながら、このタイプの従来のサンダルの場合、指圧効果が十分に奏功するとは言えない。その理由は、高さ７〜１５ｍｍの針状突起が、サンダルの表面のほぼ全面に画一的に形成されていて、必ずしも足裏の解剖学的形状または歩行時の運動を考慮したものではない。さらに針状突起自体の形状が細長いので、柔軟性があり、サンダルを履いた時点で殆どの突起が屈曲するので、歩行時に絶えず足裏を刺激する効果はそれほど期待できない。【００１１】  また、別の健康サンダルとして、爪先対応部（特にボール部）、踏みつけ対応部、土踏まず対応部、および踵対応部の、主として４カ所に半球形の突起を埋め込んだものが提案されている。【００１２】  然しながら、このタイプのサンダルの場合、体重の半分を４点で支持することになり、それによる弊害があることが報告されている。即ち、手掌と同じ程度に極めて敏感な足裏の特定箇所を絶えず突起により刺激することにより、その箇所の皮膚が硬化し、柔軟性が失われ、その影響が足裏に止まらず、腰痛や内臓にまで及ぶことがあると報告されている。
【特許文献１】特開２００５−８０８２８号
【考案の開示】
【考案が解決しようとする課題】
【００１３】  考案が解決しようとする課題は、サンダル台の足裏対応部分に特殊な立体構造を付与することにより、歩行感等各種機能を改良することである。【００１４】  考案が解決しようとする別の課題は、サンダル台の足裏対応部分に特殊な立体構造を付与することにより、歩行感等各種機能を改良すると伴に、従来のいわゆる「健康サンダル」に伴う健康障害を解消することである。
【課題を解決するための手段】
【００１５】  サンダルは、古代オリエント時代から開発された最も古いタイプの履物の一種であり、リゾート地や、レジャー用、日常生活で使用されるものである。従って、通常の靴に比べて安価に製造しなくてはならないとう要請から、構造的にも簡単に製造されている。その構造的な特徴から、前述したようにサンダル表層部の全面に針状突起を有するもの、或いは足裏の特定部位を刺激するような突起を有するものは、歩行時に不快感や、健康上、悪影響を及ぼすことが明らかである。【００１６】  そこで、本考案者は、サンダル台の足裏対応部分の全面に針状突起を形成したり、或いはサンダル台の足裏対応部分の、特定の反射帯（ツボ）に突起を形成する従来技術の欠点を下記の主として２種類の構造により改良した。【００１７】  その１種は、サンダル台の構造であって、サンダル台の足裏対応部分に、正面から観察した形状が同一形状の多角形の貫通孔を連続・充填的に穿設したゴム又は熱可塑性合成樹脂製シートを接合し、さらにその表面にゴム又は熱可塑性合成樹脂製の透明シートを積層したサンダル台である。【００１８】  この場合の貫通孔を穿設するシートは、厚さ３〜５ｍｍのゴムまたは熱可塑性合成樹脂製のシートである。従って、貫通孔の深さは、当然３〜５ｍｍとなる。【００１９】  この場合、正面から観察した形状が同一形状の多角形とは、三角形、四角形等の各辺が同じ正多角形、或いは異形多角形である。また、「同一形状の多角形」とは、形状が同じということで、大きさに大小があっても構わない。たとえば、正面から観察した形状が三角形の貫通孔を一ユニットとした連続・充填的模様を穿設する場合、サンダル台のボール部、踏み付け部、踵部、内側アーチ部、および外側アーチ部に対応する部位と、その余の部位で三角形の大きさを変えてもよい。そのことにより、歩行時のクッション効果等の機能を変えることができる。【００２０】  この場合、最表層にゴム又は熱可塑性合成樹脂製の透明シートを積層することにより、その下層の貫通孔が視認でき、一種の意匠効果を発現する共に、貫通孔が露出していた場合には、その内部にゴミ、水等が浸入するのを防止することができる。【００２１】  別の１種は、サンダル台の構造であって、サンダル台の足裏対応部分に、正面から観察した形状が多角形および該多角形とは異なる異形形状から成る２種以上の異なる形状の貫通孔を形成したシートを接合し、さらにその表面にゴム又は熱可塑性合成樹脂製の透明シートを積層したサンダル台である。【００２２】  この場合の貫通孔を穿設するシートは、厚さ３〜５ｍｍのゴムまたは熱可塑性合成樹脂製のシートである。従って、貫通孔の深さは、当然３〜５ｍｍとなる。【００２３】  この場合、正面から観察した形状が同一形状の多角形とは、三角形、四角形等の各辺が同じ正多角形、或いは異形多角形である。また、「同一形状の多角形」とは、形状が同じということで、大きさに大小があっても構わない。【００２４】  さらに、この場合、正面から観察した形状が多角形とは異なる異形形状とは、三角形、四角形等の各辺が同じ正多角形、或いは異形多角形とは異なる形状、たとえば円形、楕円形、或いは任意の幾何学模様である。【００２５】  従って、この場合��サンダル台の足裏対応部分に、正面から観察した形状が多角形および該多角形とは異なる異形形状から成る２種以上の異なる形状の貫通孔を形成したシートとは、サンダル台の足裏対応部分に、たとえば三角形、四角形等の各辺が同じ正多角形、或いは異形多角形と、正多角形或いは異形多角形とは異なる形状、たとえば円形、楕円形、或いは任意の幾何学模様を組合わせた複合模様を穿設することになる。【００２６】  たとえば、踏み付け部分には、正面から観察した形状が三角形の貫通孔を穿設し、踵部から踏み付け部後端部の範囲には正面から観察した形状が円形の貫通孔を穿設してもよい。【００２７】  また、踏み付け部分に穿設される貫通孔の三角形の大きさを、踏み付け部分の部位で変化させてもよい。さらに、踵部から踏み付け部後端部の範囲に穿設される貫通孔の円形の大きさ、即ち直径を、踵部、内側アーチ部、および外側アーチ部に対応する部位で変えてもよい。そのことにより、歩行時のクッション効果等の機能を変えることができる。【００２８】  この場合、最表層にゴム又は熱可塑性合成樹脂製の透明シートを積層することにより、その下層の貫通孔が視認でき、一種の意匠効果を発現すると共に、貫通孔が露出していた場合には、その内部にゴミ、水等が浸入するのを防止することができる。【００２９】  本考案は、サンダル台の構造自体に関するものである。従って、材料はゴム、熱可塑性合成樹脂から任意に選択できる。たとえば、最表層の透明シートは、ポリ塩化ビニル、貫通孔を設けるシートは、ＥＶＡでよい。【００３０】  さらに、本考案のサンダル台には、貫通孔が穿設されたシートとサンダル台との間に、ゴム或いは熱可塑性合成樹脂から成るシートを挿入してもよい。たとえば、貫通孔が穿設されたシートとサンダル台との間に、ポリ塩化ビニルの透明シートを挿入することにより、その下層に配置される着色シートが視認され、意匠効果が発現される。【００３１】  従って、上記課題は下記の各項に記載した手段により解決することができる。【００３２】１．サンダル台の構造であって、サンダル台の足裏対応部分に、正面から観察した形状が同一形状の多角形の貫通孔を連続・充填的に穿設したゴム又は熱可塑性合成樹脂製シートを接合し、さらにその表面にゴム又は熱可塑性合成樹脂製の透明シートを積層したサンダル台。【００３３】２．前記１項において、シートに穿設された貫通孔の正面から観察した形状の大きさを、サンダル台のボール部、踏み付け部、踵部、内側アーチ部、および外側アーチ部に対応する部位と、その余の部位で、変化させる。【００３４】３．サンダル台の構造であって、サンダル台の足裏対応部分に、正面から観察した形状が多角形および該多角形とは異なる異形形状から成る２種以上の異なる形状の貫通孔を複合して連続・充填的に穿設したシートを接合し、さらにその表面にゴム又は熱可塑性合成樹脂製の透明シートを積層したサンダル台。【００３５】４．前記３項において、サンダル台の踏み付け部分と、踵部から踏み付け部後端部の範囲とに穿設される貫通孔の正面から観察した形状の大きさを変化させる。【００３６】５．上記１〜４項のいずれか１項において、貫通孔を穿設するシートの厚さを３〜５ｍｍとする。
【実施例１】
【００３７】  図１は、本考案の実施例１のサンダル台の分解図である。図２は実施例１のサンダル台の上面図である。図１において、１はサンダル台本体で、敢えて図示していないが、通常、硬質のウレタンゴム等で製造された接地部、接地部材よりも軽量な発泡ウレタン等で製造された中央部、低反発性の軟質発泡ウレタン樹脂等で製造されたクッション部、および軟質可撓性樹脂で製造された表層部から構成された複合積層構造である。サンダル台本体１には、後述する構成部品３、４および５を収容して積層する凹陥部２が穿設されている。【００３８】  ３は、たとえばポリ塩化ビニルで製造された透明シートである。【００３９】  ４は、ＥＶＡ製の厚さ５ｍｍの透明シートである。シート４には、正面から観察して三角形の貫通孔と、同じく円形の貫通孔が、ほぼ規則的に穿設されている。【００４０】  図２は、図１のサンダル台の正面図である。踏み付け部後端６と踏み付け部先端７の間の、いわゆる踏み付け部８には、一辺が７ｍｍの正三角形を断面とする貫通孔を、連続充填模様のように穿設した。【００４１】  一方、踵部後端９と踏み付け部後６の間には、歩行時の足に負荷される圧力を考慮して、直径が異なる円形を断面とする貫通孔を穿設した。即ち、内側アーチ外周縁部１０、踵部外周縁部１１、および外側アーチ外周縁部１２には、直径が７ｍｍの円形貫通孔を２列に配して穿設した。一方、踵部１３から踏み付け部後端６の至る部分には直径が４ｍｍの円形貫通孔を不規則に配して穿設した。【００４２】  ５は、貫通孔を穿設したＥＶＡ製シート４の表面に接合したポリ塩化ビニル製の透明シートである。貫通孔を穿設したＥＶＡ製シート４に透明シート５を接合することにより、貫通孔が視認でき、一種の意匠効果を発現すると共に、貫通孔が露出していた場合には、その内部にゴミ、水等が浸入するのを防止することができる。
【実施例２】
【００４３】  図３は、本考案の実施例２のサンダル台の上面図である。実施例２のサンダル台では、ＥＶＡ製の厚さ５ｍｍの透明シートの全体に一辺が７ｍｍの正三角形を断面とする貫通孔１４を連続充填模様のように穿設した。その余の構造および技術的事項は実施例１のサンダル台のそれらと同じである。
【産業上の利用可能性】
【００４４】  本考案のサンダル台は、足裏対応部分に特殊な立体構造を付与してあるので、履物としてのサンダルに要求される歩行感等各種機能を改良すると共に、従来のいわゆる「健康サンダル」に伴う健康障害を解消することができ、新機能サンダルとしての用途が拡大される。
【図面の簡単な説明】
【００４５】
【図１】本考案の実施例１の分解図。
【図２】本考案の実施例１の上面図。
【図３】本考案の実施例２の上面図。
【符号の説明】
【００４６】１    サンダル台本体
２    サンダル台本体の凹陥部
３    ポリ塩化ビニル製透明シート
４    貫通孔形成ＥＶＡシート
５    ポリ塩化ビニル製透明シート
６    踏み付け部後端部
７    踏み付け部先端部
８    踏み付け部後端部と踏み付け部先端部の間
９    踵部後端
１０  内側アーチ外周縁部
１１  踵部外周縁部
１２  外側アーチ外周縁部
１３  踵部
１４  三角形貫通孔
【図１】
0003126526.tif 000003
【図２】
0003126526.tif 000004
【図３】
0003126526.tif 000005